(57)【要約】【課題】ばね部材の経時的なばね圧低下や使用者の使い易い要望に対応すべくばね圧を容易に調整できる開閉体の開閉用ヒンジを提供する。【解決手段】便座１側に備えられカム面７を有するカム部材８と、このカム部材にヒンジ軸１０回りに回動自在に枢支連結され、便器３側に取付けられる筒状脚部１１と、この筒状脚部内に上下方向に摺動自在に収納され、カム面７に摺接する突子１２を有するカムフォロア１３と、筒状脚部１１内に収納され、カムフォロア１３を常に前記カム面７に向けて押付け付勢するばね部材１４と、ばね部材１４のばね圧を調整できるばね圧調整手段２４とを備える。ばね圧調整手段２４は、筒状脚部１の底部に、ばね部材１４の端部を受けるばね受け面２６ａを有する底蓋２６を底開口部２５を塞ぐようねじ込み装着してなる。【選択図】図１１
0003118202.tif 000002
【実用新案登録請求の範囲】
【請求項１】
相対的に開閉回動する第１の部材と第２の部材のうち一方の部材側に備えられてカム面を有するカム部材と、このカム部材にヒンジ軸回りに回動自在に枢支連結され、前記第１の部材と第２の部材のうち他方の部材側に取付けられる筒状脚部と、この筒状脚部内に上下方向に摺動自在に収納され、前記カム面に摺接する突子を有するカムフォロアと、前記筒状脚部内に収納され、前記カムフォロアを常に前記カム面に向けて押付け付勢するばね部材と、を備えており、前記カム部材、カムフォロア及びばね部材によって前記第１の部材又は第２の部材の閉じ姿勢への回動方向のトルクに反発するトルクを生じさせてそのバランスにて前記第１の部材又は第２の部材が所定の回動角度位置に停止保持するようにしてなる開閉体の開閉用ヒンジにおいて、
前記ばね部材のばね圧を調整できるばね圧調整手段を備えていることを特徴とする、開閉体の開閉用ヒンジ。
【請求項２】
前記ばね圧調整手段が、前記筒状脚部の底部に底開口部を形成し、前記筒状脚部の底部に、前記ばね部材の端部を受けるばね受け面を内面に形成した底蓋を前記底開口部を塞ぐようねじ込み装着してなる、請求項１記載の開閉体の開閉用ヒンジ。
【請求項３】
前記底蓋の外面に工具掛け用の凹部を設けている、請求項２記載の開閉体の開閉用ヒンジ。
【請求項４】
前記筒状脚部はプラスチック材で、前記底蓋は金属材でそれぞれ形成してなる、請求項１ないし３のいずれか１項に記載の開閉体の開閉用ヒンジ。
【考案の詳細な説明】
【技術分野】
【０００１】
本考案は、洋式便器の便座・便蓋、ノート型パソコン、小型測定機器等開閉体の開閉に好適に用いられる開閉用ヒンジに関する。
【背景技術】
【０００２】
たとえば、洋式便器の便座・便蓋の開閉用ヒンジとして、先に同一出願人により以下のようなヒンジを提案した（特許文献１参照。）。そこでは、便座もしくは便蓋の回動基端側に備えられカム面を有するカム部材と、このカム部材にヒンジ軸回りに回動自在に枢支連結され、洋式便器側に取付けられる筒状脚部と、この筒状脚部内に上下方向に摺動自在に収納され、前記カム面に摺接する突子を有するカムフォロアと、前記筒状脚部内に収納され、前記カムフォロアを常に前記カム面に向けて押付け付勢するばね部材と、を備えており、前記カム部材、カムフォロア及びばね部材によって前記便座もしくは便蓋の閉じ姿勢への回動方向のトルクに反発するトルクを生じさせてそのバランスにて前記便座もしくは便蓋が所定の回動角度位置に停止保持するようにしたものである。
【０００３】
このような開閉用ヒンジによれば、カム部材、カムフォロア及びばね部材によって便座もしくは便蓋の閉じ姿勢への回動方向のトルクに反発するトルクを発生させることで、便座もしくは便蓋が閉じ姿勢に達する時の衝撃を緩和することができ、衝突音の発生を防止でき、また便座や便蓋を手で持ち上げて開くときに要する操作力を軽減できる。したがって、とくに、介護用便器に適用した場合は被介護者にとって極めて安全でかつ使い勝手が良好であるという利点がある。
【０００４】
【特許文献１】実用新案登録第３１１１６４０号公報
【考案の開示】
【考案が解決しようとする課題】
【０００５】
しかるに、上記のような開閉用ヒンジでは、カムフォロアに作用するばね部材のばね圧は初期において一定圧に設定されたままであるので、使用者の身体の異状や障害などによっては強過ぎたり、弱過ぎたりすることがあってもそのばね圧調整ができないという不利不便があった。また、経時的にばね部材が疲労してばね圧が低下するという問題があった。
【０００６】
本考案の目的は、このような問題を解決するためになされたもので、ばね部材の経時的なばね圧低下や使用者の使い易い要望に対応すべくばね圧を容易に調整できる開閉体の開閉用ヒンジを提供することにある。
【課題を解決するための手段】
【０００７】
本考案は、相対的に開閉回動する第１の部材と第２の部材のうち一方の部材側に備えられてカム面を有するカム部材と、このカム部材にヒンジ軸回りに回動自在に枢支連結され、前記第１の部材と第２の部材のうち他方の部材側に取付けられる筒状脚部と、この筒状脚部内に上下方向に摺動自在に収納され、前記カム面に摺接する突子を有するカムフォロアと、前記筒状脚部内に収納され、前記カムフォロアを常に前記カム面に向けて押付け付勢するばね部材と、を備えており、前記カム部材、カムフォロア及びばね部材によって前記第１の部材又は第２の部材の閉じ姿勢への回動方向のトルクに反発するトルクを生じさせてそのバランスにて前記第１の部材又は第２の部材が所定の回動角度位置に停止保持するようにしてなる開閉体の開閉用ヒンジにおいて、前記ばね部材のばね圧を調整できるばね圧調整手段を備えていることに特徴を有するものである。
【０００８】
ひとつの好適な実施態様として、本考案による開閉用ヒンジは、前記ばね圧調整手段として、前記筒状脚部の底部に底開口部を形成し、前記筒状脚部の底部に、前記ばね部材の端部を受けるばね受け面を内面に形成した底蓋を前記底開口部を塞ぐようねじ込み装着してなるものとすることができる。この場合、底蓋の外面には工具掛け用の凹部を設けることができる。前記筒状脚部はプラスチック材で、前記底蓋は金属材でそれぞれ形成することができる。
【考案の効果】
【０００９】
上記構成の開閉用ヒンジによれば、カム部材、カムフォロア及びばね部材によって第１の部材又は第２の部材の閉じ姿勢への回動方向のトルクに反発するトルクを発生させることで、第１の部材又は第２の部材が閉じ姿勢に達する時の衝撃を緩和することができ、衝突音の発生を防止でき、また第１の部材又は第２の部材を手で持ち上げて開くときに要する操作力を軽減できる。したがって、とくに、介護用便器に適用した場合は被介護者にとって極めて安全でかつ使い勝手が良好である。
とくに、ばね圧調整手段によりカムフォロアに作用するばね部材のばね圧を調整できるので、使用者の好みに応じて第１の部材又は第２の部材の開閉力や開閉速度を自由に変更できて便利であり、また経時的にばね圧が低下したときはばね圧調整手段によってばね圧を上げることができるという利点もある。
【考案を実施するための最良の形態】
【００１０】
本考案の好適な実施形態を図面に基づき説明する。図１は本考案の一実施例を示す開閉用ヒンジによる便座及び便蓋の全開状態を示す洋式便器の側面図、図２は同便座及び便蓋の全閉状態を示す洋式便器の側面図、図３は同便座及び便蓋の全閉状態を示す洋式便器の一部破断平面図、図４は同便座及び便蓋の全閉状態を示す洋式便器の背面図、図５は洋式便器の平面図、図６は便座の平面図、図７は便座の背面図、図８は便蓋の平面図、図９は便蓋の背面図、図１０は便蓋及び便座の全開状態を示す開閉用ヒンジの縦断側面図、図１１は便蓋及び便座の全閉状態を示す開閉用ヒンジの縦断側面図、図１２は便蓋及び便座の全開状態を示す開閉用ヒンジの縦断側面図、図１３は便蓋及び便座の全閉状態を示す開閉用ヒンジの縦断側面図である。
【００１１】
本考案の一実施例を示す開閉用ヒンジは、第１の部材を構成する洋式便器（以下、「便器」という。）３の上面に対し、第２の部材である便座１および便蓋２が図１に示すように垂直もしくは垂直に近い状態に開く姿勢と、図２〜図４に示すように便器３の上面に水平もしくは水平に近い状態に載置する閉じ姿勢とにわたって開閉回動するようにしたものである。
【００１２】
図５に示すように、便器３はこれの上面の後部に便蓋２を取付けるための左右一対の断面四角形の取付穴４，４を凹設するとともに、便座１を取付けるための断面四角形の取付穴５を前記取付穴４，４間の中央でかつ少し前方に偏した位置に凹設している。
【００１３】
図６、図７に示すように、弁座１は便器３の上面を覆い得る大きさの平面視において開口１ａを有する馬蹄形状に形成される。便座１の後方の回動基端側には、便器３の中央の取付穴５に対応する開閉用ヒンジ６が備えられる。
図１０に示すように、開閉用ヒンジ６は、便座１の後方の回動基端側に垂下状に備えられたカム面７を有するカム部材８と、上端に対向壁部９，９を有しこの対向壁部９，９間にカム部材８をヒンジ軸１０回りに回動自在に枢支連結した断面四角形の筒状脚部１１と、この筒状脚部１１内に上下方向に摺動自在に収納され、カム部材８のカム面７に摺接する突子１２を上端に有する断面四角形状のカムフォロア（スライダー）１３と、筒状脚部１１内のカムフォロア１３の下側に収納され、カムフォロア１３を常にカム部材８のカム面７に向けて押付け付勢する圧縮コイルばね等によるばね部材１４と、このばね部材１４のばね圧を調整できるばね圧調整手段２４とを備える。カム部材８、筒状脚部１１、及びカムフォロア１３などは樹脂製の便座１と同様に水洗い可能な樹脂成形品である。
【００１４】
上記カム部材８のカム面７はヒンジ軸１０の軸心を略中心にして緩やかなカーブに描かれる第１曲縁７ａと、この第1曲縁７ａの後端に連続して第１曲縁７ａの曲率よりも大きい曲率で描かれる第２曲縁７ｂとを有する形に形成されている。上記ばね部材１４は、後述する説明で明らかなように便座１の自重による閉方向のモーメントに抗してカム部材８を含む便座１に便座開方向のモーメントを与える強さを有するものが使用される。
【００１５】
便座１は便座用ヒンジ６の筒状脚部１１を便器３の中央の取付穴５に抜差し可能に差し込むことで便器３に対し開閉用ヒンジ６ごと着脱可能に取付けられる。これにより開閉用ヒンジ６ごと弁座１を水洗いなどで容易に清掃することができる。
【００１６】
ばね圧調整手段２４は、図１０に示すように、筒状脚部１１の底部に底開口部２５を形成し、該筒状脚部１１の底部に、ばね部材１４の下端部を受けるばね受け面２６ａを内面に形成した底蓋２６を底開口部２５を塞ぐようねじ込み装着してなる。図示例では底開口部２５の内周に雌ねじ２７を設け、底蓋２６の外周に設けた雄ねじ２６ｂを前記雌ねじ２７にねじ込むことにより底蓋２６を筒状脚部１１の底部に装着する構成としてあるが、それとは反対に、図示省略するが筒状脚部１１の底部の外周に雄ねじを設け、底蓋２６の内周に設けた雌ねじを前記雄ねじにねじ込むことにより底蓋２６を筒状脚部１１の底部に装着することもできる。
【００１７】
底蓋２６の外面には六角レンチ等工具掛け用の凹部２８を設け、この凹部２８に六角レンチ等工具を掛けて底蓋２６を容易に開閉方向に回転操作できるようにしてある。底蓋２６はばね部材１４の荷重に充分に耐え得るよう金属材で形成し、一方ばね部材１４の荷重を直接受けない筒状脚部１１はプラスチック材で形成する。これにより開閉用ヒンジ６全体をできるだけ軽量小型化できる。
【００１８】
次に、上記構成の開閉用ヒンジ６の作動について図１０、図１１を参照して説明する。
図１０は便座１が開角９０度を少し越え、この後は便座１の自重モーメントにより後方へ少し傾いた姿勢の全開状態を示している（図１参照）。この全開姿勢では、カム部材８の第２曲縁７ｂがカムフォロア１３の突子１２から後方へ離反してばね部材１４が伸長した状態にあり、これにより便座１の全開姿勢が保持される。
【００１９】
この全開姿勢から便座１を閉じ方向にヒンジ軸１０回りに回動させて行くと、先ず、カム部材８の第２曲縁７ｂがカムフォロア１３の突子１２に当接し該突子１２を押圧することでカムフォロア１３がばね部材１４を縮小させながら押下げられ、引続いて第２曲縁７ｂと第１曲縁７ａとの連続部、第１曲縁７ａがカムフォロア１３をばね部材１４の力に抗して押下げて行くが、このとき便座１の閉じ姿勢への回動方向のトルクに反発するトルクがカム部材８、カムフォロア１３及びばね部材１４により生じてそのバランスにて便座１は所定回動角度位置で停止保持でき、つまり緩やかな速度で閉じることができる。また、そのようにカム部材８、カムフォロア１３及びばね部材１４によって便座１の閉じ状態への回動方向のトルクに反発するトルクを発生させることで、便座１が図１１のように便器３上に水平もしくは水平に近い使用載置状態に達する時の衝撃を緩和でき、また衝突音の発生を防止できる。その際、上記カム部材８の第１曲縁７ａは、便座１が便器３上に達する直前、すなわち開角３０°付近から自動的に閉じる作用を働くような曲線に形成している。
【００２０】
便座１が便器３上に載置した使用状態では、カムフォロア１３の突子１２がカム部材８の第１曲縁７ａに位置してばね部材１４が最も圧縮した状態で確実に保持される。
【００２１】
用便後に、便座１を手で持ち上げて開き状態に戻すには、カム部材８、カムフォロア１３及びばね部材１４によって生じている便座１の閉じ姿勢への回動方向のトルクに反発するトルクの作用により軽い操作力で便座１を全開状態に戻すことができる。その際、カム部材８の第２曲縁７ｂは、便座１が開角４５°付近を越える時点で便座１から手を離してもばね部材１４の付勢力で自動的に開く作用を働くような曲線に形成している。このように便座１を開くときに、大きな操作力を必要としないようにしてあるため、介護用便器としても被介護者などの負担を軽減できる。
【００２２】
カムフォロア１３に作用するばね部材１４のばね圧が強過ぎるときは、開閉用ヒンジ６の筒状脚部１１を便器３の取付穴５から抜出して便座１を開閉用ヒンジ６ごと便器３から取り外し、底蓋２６を開き方向に回転させることによりばね圧を下げることができる。ばね圧が弱過ぎるときは、反対に底蓋２６を閉じる方向に回転させることによりばね圧を上げることができる。経時的にばね部材１４の疲労に伴いばね圧が低下したときは、底蓋２６を閉じる方向に回転させればよい。これらばね圧の調整は底蓋２６のねじ込みを加減調整することにより微調整できる。調整後は、開閉用ヒンジ６の筒状脚部１１を便器３の取付穴５に差し込むことで便座１を開閉用ヒンジ６ごと便器３に取付ける。
【００２３】
一方、便蓋２は、図８、図９に示すように、便器３及び弁座１の上面全体を覆い得る大きさの平面視において馬蹄形状の盲壁に形成される。便蓋２の後方の回動基端側には、便器３の左右一対の取付穴４，４に対応する左右一対の開閉用ヒンジ１５，１５が備えられる。
開閉用ヒンジ１５は、上記開閉用ヒンジ６と同一構造に構成されるものであって、図１２に示すように、便蓋２の後方の回動基端側に垂下状に備えられたカム面１６を有するカム部材１７と、上端に対向壁部１８，１８を有しこの対向壁部１８，１８間にカム部材１７をヒンジ軸１９回りに回動自在に枢支連結した断面四角形の筒状脚部２０と、この筒状脚部２０内に上下方向に摺動自在に収納され、カム部材１７のカム面１６に摺接する突子２１を上端に有する断面四角形状のカムフォロア（スライダー）２２と、筒状脚部２０内のカムフォロア２２の下側に収納され、カムフォロア２２を常にカム部材１７のカム面１６に向けて押付け付勢する圧縮コイルばね等によるばね部材２３と、このばね部材２３のばね圧を調整できるばね圧調整手段２９とを備える。カム部材１７、筒状脚部２０、及びカムフォロア２２などは樹脂製の便蓋２と同様に水洗い可能な樹脂成形品である。
【００２４】
上記カム部材１７のカム面１６はヒンジ軸１９の軸心を略中心にして緩やかなカーブに描かれる第１曲縁１６ａと、この第1曲縁１６ａの後端に連続して第１曲縁１６ａの曲率よりも大きい曲率で描かれる第２曲縁１６ｂとを有する形に形成されている。上記ばね部材２３は、便蓋２の自重による閉方向のモーメントに抗してカム部材１７を含む便蓋２に便蓋開方向のモーメントを与える強さを有するものが使用される。
【００２５】
便蓋２は左右一対の開閉用ヒンジ１５，１５の筒状脚部２０，２０を便器３の左右の取付穴４，４に抜差し可能に差し込むことで便器３に対し開閉用ヒンジ１５ごと着脱可能に取付けられる。これにより開閉用ヒンジ１５ごと弁蓋２を水洗いなどで容易に清掃することができる。
【００２６】
ばね圧調整手段２９は、上記実施例のばね圧調整手段２７と同様のものを採用するものであり、図１２に示すように、筒状脚部２０の底部に底開口部３０を形成し、該筒状脚部２０の底部に、ばね部材２３の下端部を受けるばね受け面３１ａを内面に形成した底蓋３１を底開口部３０を塞ぐようねじ込み装着してなる。図示例では底開口部３０の内周に雌ねじ３２を設け、底蓋３１の外周に設けた雄ねじ３１ｂを前記雌ねじ３２にねじ込むことにより底蓋３１を筒状脚部２０の底部に装着してあるが、それとは反対に、図示省略するが筒状脚部２０の底部の外周に雄ねじを設け、底蓋３１の内周に設けた雌ねじを前記雄ねじにねじ込むことにより底蓋３１を筒状脚部２０の底部に装着することもできる。
底蓋３１の外面には六角レンチ等工具掛け用の凹部３３を設け、この凹部３３に六角レンチ等工具を掛けて底蓋３１を容易に開閉方向に回転操作できるようにしてある。底蓋３１はばね部材２３の荷重に充分に耐え得るよう金属材で形成し、一方ばね部材２３の荷重を直接受けない筒状脚部２０はプラスチック材で形成する。
【００２７】
次に、上記構成の開閉用ヒンジ１５の作動について図１２、図１３を参照して説明する。
図１２は便蓋２が開角９０度を少し越え、この後は便蓋２の自重モーメントにより後方へ少し傾いた姿勢の全開状態を示している（図１参照）。この全開姿勢では、カム部材１７の第２曲縁１６ｂがカムフォロア２２の突子２１から後方へ離反してばね部材２３が伸長した状態にあり、これにより便蓋２の全開姿勢が保持される。
【００２８】
この全開姿勢から便蓋２を閉じ方向にヒンジ軸１９回りに回動させて行くと、先ず、カム部材１７の第２曲縁１６ｂがカムフォロア２２の突子２１に当接し該突子２１を押圧することでカムフォロア２２がばね部材２３を縮小させながら押下げられ、引続いて第２曲縁１６ｂと第１曲縁１６ａとの連続部、第１曲縁１６ａがカムフォロア２２をばね部材２３の力に抗して押下げて行くが、このとき便蓋２の閉じ状態への回動方向のトルクに反発するトルクがカム部材１７、カムフォロア２２及びばね部材２３により生じてそのバランスにて便蓋２は所定回動角度位置で停止保持でき、つまり緩やかな速度で閉じることができる。また、そのようにカム部材１７、カムフォロア２２及びばね部材２３によって便蓋２の閉じ状態への回動方向のトルクに反発するトルクを発生させることで、便蓋２が図１３のように便器３及び便座１上に水平もしくは水平に近い全閉状態に達する時の衝撃を緩和できる。その際、上記カム部材１７の第１曲縁１６ａは、便蓋２が便器３、便座１上に達する直前、すなわち開角３０°付近から自動的に閉じる作用を働くような曲線に形成している。
【００２９】
便蓋２の、便器３及び便座１上に対し水平もしくは水平に近い全閉状態では、カムフォロア２２の突子２１がカム面１６の第１曲縁１６ａに位置してばね部材が最も圧縮した状態で確実に保持される。
【００３０】
用便後に、便蓋２を手で持ち上げて開き状態にするは、カム部材１７、カムフォロア２２及びばね部材２３によって生じている便蓋２の閉じ方向への回動方向のトルクに反発するトルクの作用により軽い操作力で便蓋２を全開状態にすることができる。その際、カム部材１７の第２曲縁１６ｂは、便蓋２が開角４５°付近を越える時点で便蓋２から手を離してもばね部材２３の付勢力で自動的に開く作用を働くような曲線に形成している。このように便蓋２を開くときに、大きな操作力を必要としないようにしてあるため、介護用便器としても被介護者などの負担を軽減できる。
【００３１】
カムフォロア２２に作用するばね部材２３のばね圧が強過ぎるときは、開閉用ヒンジ１５の筒状脚部２０を便器３の取付穴４から抜出して便蓋２を開閉用ヒンジ１５ごと便器３から取り外し、底蓋３１を開き方向に回転させることによりばね圧を下げることができる。ばね圧が弱過ぎるときは、反対に底蓋３１を閉じる方向に回転させることによりばね圧を上げることができる。経時的にばね部材２３の疲労に伴いばね圧が低下したときは、底蓋３１を閉じる方向に回転させればよい。これらばね圧の調整は底蓋３１のねじ込みを加減調整することにより微調整できる。調整後は、開閉用ヒンジ１５の筒状脚部２０を便器３の取付穴４に差し込むことで便蓋２を開閉用ヒンジ１５ごと便器３に取付ける。
【００３２】
上記実施例では便座１、便蓋２共に同じ上記構造の開閉用ヒンジ６，１５を採用してあるが、その一方のみに上記構造のヒンジを採用し、もう一方はそれとは異なる別のヒンジを採用することもできる。
また、上記実施例では、第１の部材である洋式便器側にカムフォロア及びばね部材を収納する筒状脚部を取付け、第２の部材である便座もしくは便蓋にカム部材を備えているが、それとは反対に、第１の部材である洋式便器側にカム部材を備え、第２の部材である便座もしくは便蓋にカムフォロア及びばね部材を収納する筒状脚部を取付けることもできる。
【００３３】
本考案の開閉用ヒンジは、洋式便器の便蓋や便座以外に、第１の部材を構成するキーボード本体と第２の部材であるディスプレイ装置からなるノート型パソコン、その他に小型測定機器等の開閉体の開閉用ヒンジとしても同様に適用できる。
【図面の簡単な説明】
【００３４】
【図１】本考案の一実施例を示す開閉用ヒンジによる便座及び便蓋の全開状態を示す洋式便器の側面図である。
【図２】同便座及び便蓋の全閉状態を示す洋式便器の側面図である。
【図３】同便座及び便蓋の全閉状態を示す洋式便器の一部破断平面図である。
【図４】同便座及び便蓋の全閉状態を示す洋式便器の背面図である。
【図５】洋式便器の平面図である。
【図６】便座の平面図である。
【図７】便座の背面図である。
【図８】便蓋の平面図である。
【図９】便蓋の背面図である。
【図１０】便蓋及び便座の全開状態を示す開閉用ヒンジの縦断側面図である。
【図１１】便蓋及び便座の全閉状態を示す開閉用ヒンジの縦断側面図である。
【図１２】便蓋及び便座の全開状態を示す開閉用ヒンジの縦断側面図である。
【図１３】便蓋及び便座の全閉状態を示す開閉用ヒンジの縦断側面図である。
【符号の説明】
【００３５】
１  便座
２  便蓋
３  洋式便器
４，５  取付穴
６，１５  開閉用ヒンジ
７，１６  カム面
７ａ，１６ａ  第１曲縁
７ｂ，１６ｂ  第２曲縁
８，１７  カム部材
１０，１９  ヒンジ軸
１１，２０  筒状脚部
１２，２１  突子
１３，２２  カムフォロア
１４，２３  ばね部材
２４，２９  ばね圧調整手段
２５，３０  底開口部
２６，３１  底蓋
２６ａ，３１ａ  ばね受け面
２８，３３  工具掛け用の凹部
【図１】
0003118202.tif 000003
【図２】
0003118202.tif 000004
【図３】
0003118202.tif 000005
【図４】
0003118202.tif 000006
【図５】
0003118202.tif 000007
【図６】
0003118202.tif 000008
【図７】
0003118202.tif 000009
【図８】
0003118202.tif 000010
【図９】
0003118202.tif 000011
【図１０】
0003118202.tif 000012
【図１１】
0003118202.tif 000013
【図１２】
0003118202.tif 000014
【図１３】
0003118202.tif 000015